Podtech/llm-jp-corpus-v4-ja_patent huggingface dataset:
(57)【要約】【課題】本発明は、紙パック等の裏面にメッセージを記載し、紙パック等の見開きを促進させ、紙パック等のリサイクルを促進させることを目的とする。【解決手段】本発明による紙部材は、紙(2)で形成され所要の形状に曲げられ、この紙(2)の裏面(4)には、文字又は絵、又は、文字と絵が記載されている構成である。【選択図】図１
2008213218.tif 000002
【特許請求の範囲】
【請求項１】
紙(2)で形成され所要の形状に曲げられてなる紙部材において、
前記紙(2)の裏面(4)には、文字又は絵、又は、文字と絵からなるメッセージ(10)が記載されていることを特徴とする紙部材。
【請求項２】
前記文字又は絵は、コマーシャルメッセージよりなることを特徴とする請求項１記載の紙部材。
【請求項３】
前記文字又は絵は、くじの結果よりなることを特徴とする請求項１記載の紙部材。
【請求項４】
前記文字又は絵は、商品購入時のポイントを表わすことを特徴とする請求項１記載の紙部材。
【請求項５】
前記文字又は絵は、メッセージ内容を示す記号からなることを特徴とする請求項１記載の紙部材。
【請求項６】
前記文字又は絵は、バーコード又は２次元バーコードからなることを特徴とする請求項１記載の紙部材。
【請求項７】
前記形状は、液体を収容する紙パックよりなることを特徴とする請求項１ないし６の何れかに記載の紙部材。
【請求項８】
前記形状は、トイレットペーパーの芯よりなることを特徴とする請求項１ないし６の何れかに記載の紙部材。
【発明の詳細な説明】
【技術分野】
【０００１】
本発明は、紙部材に関し、特に、液体を収容する紙パック等の裏面に文字又は絵等を印刷し、消費者がその文字又は絵等を見るために紙部材を解体し、リサイクル用に紙部材を確実に回収することができるように促進するための新規な改良に関する。
【背景技術】
【０００２】
従来、用いられていたこの種の紙部材としては、例えば、ドリンク用の液体等を収容するためには、特許文献等を特には開示していないが、ペットボトルと紙パックが用いられている。
特に、紙パックの場合、４つ折りとして四角箱を形成し、多量の液体を収容している。
【発明の開示】
【発明が解決しようとする課題】
【０００３】
従来の紙部材は、以上のように構成されていたため、次のような課題が存在していた。
すなわち、ペットボトルの場合は、ペットボトルのリサイクル用の回収が条例等で確立しているため、その回収率は極めて高く、一般家庭における高い回収率でリサイクルに送られているのが現実である。
【０００４】
また、前述の紙パックの場合、リサイクル用としては、中を洗浄した後、接着部分をはずし、平らな板状の紙として、積み重ねた状態で、ひもを用いて束ねなければならず、面倒であるため、紙パックをそのまま生ゴミと一緒にしてゴミ出しを行っていた。
【課題を解決するための手段】
【０００５】
本発明による紙部材は、紙で形成され所要の形状に曲げられてなる紙部材において、前記紙の裏面には、文字又は絵、又は、文字と絵からなるメッセージが記載されている構成であり、また、前記文字又は絵は、コマーシャルメッセージよりなる構成であり、また、前記文字又は絵は、くじの結果よりなる構成であり、また、前記文字又は絵は、商品購入時のポイントを表わす構成であり、また、前記文字又は絵は、メッセージ内容を示す記号からなり、また、前記文字又は絵は、バーコード又は２次元バーコードからなり、また、前記形状は、液体を収容する紙パックよりなる構成であり、また、前記形状は、トイレットペーパーの芯よりなる構成である。
【発明の効果】
【０００６】
本発明による紙部材は、以上のように構成されているため、次のような効果を得ることができる。
すなわち、紙パック等の紙の裏面に、文字又は絵、又は、文字と絵によるコマーシャル、くじの結果等の消費者が興味をそそられるような情報が記載してあるため、紙パック等を開かざるを得ない状態となり、紙パック等を開けば、そのまま板状となり、リサイクル用に出すことに抵抗がなくなって回収率を向上させることができる。また、紙パックに限ることなくトイレットペーパーの芯等にも適用できる。
【発明を実施するための最良の形態】
【０００７】
本発明は、液体を収容する紙パック等の紙の裏面に文字又は絵等を印刷し、消費者がその文字又は絵等を見るために紙部材を解体し、リサイクル用に紙部材を解体し、リサイクル用に紙部材を確実に回収することができるように促進するようにした紙部材を提供することを目的とする。
【実施例】
【０００８】
以下、図面と共に本発明による紙部材の好適な実施の形態について説明する。
図１において符号１で示されるものは、本発明による紙部材の一側を示すもので、この紙部材１には、牛乳、ジュース、ヨーグルト等の液体食品が収容されている。
【０００９】
前記紙部材１は、全体が板状の平坦な紙２で形成され、５つ折りにより箱状に形成されると共に、表面３には、商品名及び会社名が記載されている。
前記紙２の裏面４には、文字又は絵、又は、文字と絵からなるメッセージ１０が記載されており、このメッセージ１０は、コマーシャルメッセージ、くじの結果、商品購入時のポイント等を表わすように構成されている。また、他の形態としては、前記文字又は絵は、メッセージ内容を示す記号（携帯電話等で読みとり可能なものも含む）からなることもでき、また、バーコード又は２次元バーコードからなるようにすることができる。
【００１０】
従って、前記紙部材１が、図１のように、紙パックの場合には、前記紙２の耳部２ａの接着をはがすことにより、見開き状態とできるが、他の状態として、図３のトイレットペーパーの芯の場合、接着部分をはがして見開き状とすると、図４のようになり、その裏面４に当り等のメッセージ１０を記載することができる。
尚、紙部材としては、図示した以外の類似品にも適用可能である。
【図面の簡単な説明】
【００１１】
【図１】本発明による紙部材の一側の紙パックを示す斜視図である。
【図２】図１の紙パックの見開き図である。
【図３】図１の他の形態であるトイレットペーパーの芯を示す斜視図である。
【図４】図３の見開き状態を示す平面図である。
【符号の説明】
【００１２】
１    紙部材（紙パック、トイレットペーパー）
２    紙
２ａ    耳部
３    表面
４    裏面
１０    メッセージ
【図１】
2008213218.tif 000003
【図２】
2008213218.tif 000004
【図３】
2008213218.tif 000005
【図４】
2008213218.tif 000006
(57)【要約】【課題】  本発明は性交をするときにコンドームの存在感じがないコンドーム構造に関する。この構造はこの前までに発明されていない新規製品で、男のニーズを満足することを鑑み、発明されたものである。【解決手段】  本発明に係るコンドームの存在感じがないコンドーム構造は陰茎部と亀頭部からなり、陰茎部の直径は陰茎の直径より同一または小さく亀頭部の直径は亀頭の直径より大きくその内部に潤滑液を付け、陰茎部が陰茎に密着に嵌めると、亀頭部は亀頭に緩く被覆し隙間を適当に形成し亀頭部のエマルションを陰道で性交の前後動作によって往復に移動させ亀頭と擦りあく性交をするときの擦りの興奮感じがある。【選択図】  図１
2008212457.tif 000002
【特許請求の範囲】
【請求項１】
陰茎部と亀頭部からなるコンドームの存在感じがないコンドーム構造であって、前記陰茎部の直径は陰茎の直径より同一または小さく亀頭部の直径は亀頭の直径より大きくその内部に潤滑液を付け、陰茎部が陰茎に密着に嵌めると、亀頭部は亀頭に被覆し緩く隙間を適当に形成し亀頭部のエマルションが陰道で性交の前後動作によって往復に移動させ亀頭と擦りあくその構造が任意に修正、変更されでもすべて本発明の技術思想の範囲内に含まれることを特徴とするコンドームの存在感じがないコンドーム構造。
【発明の詳細な説明】
【技術分野】
【０００１】
本発明はコンドームの存在感じがないコンドーム構造に関し、特にコンドームを使用する際に、コンドームの存在感じがなく擦りの興奮感じがある。
【背景技術】
【０００２】
従来のコンドームは天然のエマルションにより完成し、使用するときにコンドームを陰茎に被せ性交を行い、陰茎が前記コンドームの間隔の影響を受けるので、痒い感じがあり、こうして、男が性交の興奮を低減すると共に、気持ちがよくない感じがある。したがって、ある人は妊娠、さらに性病のリスクを受けコンドームを使用しないため、本発明は前述の課題に鑑み、性交するときにコンドームの存在感じがないコンドーム構造を提供し、しかも、これを世界中の男性が追求される夢想になる。
【発明の開示】
【発明が解決しようとする課題】
【０００３】
従来、コンドームを使用する際に性交興奮感じを満足することができないニーズを解決し、コンドームの存在感じがないコンドーム構造を提供することを本発明の目的とする。
【課題を解決するための手段】
【０００４】
上述課題を解決するために、本発明のコンドームの存在感じがないコンドーム構造は陰茎部と亀頭部からなり、陰茎部の直径は陰茎の直径より同一または小さく亀頭部の直径は亀頭の直径より大きくその内部に潤滑液を付け、陰茎部が陰茎に密着に嵌めると、亀頭部は亀頭に被覆し緩く隙間を適当に形成し亀頭部のエマルションが陰道で性交の前後動作によって往復に移動させ亀頭と擦りあく性交をするときに擦りの興奮感じがある。本発明はこの前までに発明されていない新規製品で、男の性交興奮感じのニーズを満足することを鑑み、発明されたものである。
【発明の効果】
【０００５】
本発明によればコンドームの間隔の影響を受けなく男の性交興奮感じのニーズを満足するようになる。
【発明を実施するための最良の形態】
【０００６】
さらに本発明の構造とその実施方法を図面により詳細に説明する。
【０００７】
本発明に係るコンドームの存在感じがないコンドーム構造（図１を参照し）は陰茎部１と亀頭部２からなり、陰茎部１の直径は陰茎の直径より小さく亀頭部の直径２は亀頭の直径より大きくその内部に潤滑液３を付け、使用をする際に（図２Ａおよび図２Ｂを参照し）、コンドームがエマルションの材料となる弾性により陰茎部１が陰茎１０に密着に嵌めると、このときに、亀頭部２は亀頭２０に緩く被覆し隙間を適当に形成し、陰茎１０を陰道に入って性交をすると、亀頭部のエマルション２を陰道で性交の前後動作によって往復に移動させ亀頭２０と擦りあく性交をするときの擦りの興奮感じがある。
【０００８】
上述のように、本発明のコンドームは陰茎部と亀頭部からなり、陰茎部をつよく陰茎にはめ込むと、亀頭部におけるエマルションは亀頭に被覆し隙間を緩く適当に形成し、且つ、亀頭部内に潤滑液を付けているから、亀頭部を陰道に入って性交をするときに、性交の前後動作によって往復に移動すると共に、亀頭と擦りあう。こうして、擦りの興奮感じを発生すると共に、コンドームの存在感じがないため、コンドームにおける亀頭部は使用をするときに陰道に入って性交の前後動作につれて同期に前後移動の動作を発生し亀頭と擦ることようにする。
【０００９】
その構造が修正または変化を任意に行なっても共に本発明の技術思想と範囲に含まれる。
【図面の簡単な説明】
【００１０】
【図１】本発明に係る構造を示す概略図。
【図２Ａ】本発明に係る構造を使用する概略図。
【図２Ｂ】本発明に係る構造を使用する概略図。
【符号の説明】
【００１１】
１  陰茎部
１０  陰茎
２  亀頭部
２０  亀頭
３  潤滑液
【図１】
2008212457.tif 000003
【図２Ａ】
2008212457.tif 000004
【図２Ｂ】
2008212457.tif 000005
(57)【要約】【課題】アスベストの無害化処理に関しては国内規定によりコンクリートでの封入の後埋め立て処理を行うか，アスベストを１５００℃以上に加熱，溶融した後に処理するかのどちらかである．しかし，コンクリートでの封入を行った埋め立て処理に関して，埋め立て可能地面積に対してアスベストの量が膨大である為，それだけでアスベストを処理することは出来ず，アスベストの加熱溶融装置による溶融処理に期待が高まっている．従来のアスベストの加熱溶融装置では１５００℃という高温であることから，排ガス損失熱量や粉塵などの問題がある．またそれらの対策の為には多大な設備費用が必要となっている．【解決手段】本発明は電気抵抗式ヒータを用いることによって排ガスや粉塵を発生させず，排ガス損失熱量や粉塵の問題を解決する．【選択図】図４
2008212911.tif 000002
【特許請求の範囲】
【請求項１】
アスベストを溶融させる場合１５００度以上の高温が必要となる．このような高温の設備の場合，排ガス損失熱量および粉塵対策が大きな問題となり，多大な設備費用が必要となる．このような問題に対して電気抵抗式ヒータを利用し，単にアスベストを融点（約１５００度）まで上昇させ，溶融させるのみの，燃焼等の反応は一切起こらない，排ガスを発生しない溶融設備．
【請求項２】
請求項１においてアスベストを剥ぐ際に水で湿潤させて飛散防止しており水分を含んでいる場合は蒸気が発生する．この問題について排ガスダクト中に水封装置を設け、そこを通すことにより除却できることを特長とした溶融設備．
【請求項３】
請求項１および請求項２においてヒータ（発熱体）は，炭化珪素および二珪化モリブデン等の空気雰囲気で使用できるヒータを使用することを特長とする溶融設備．
【請求項４】
請求項１，請求項２および請求項３において設備内に窒素ガス，アルゴンガス，水蒸気等の雰囲気ガスを封入して無酸素状態にし，タングステン・モリブデン・炭素等をヒータ（発熱体）として使用することを特徴とした溶融設備．
【請求項５】
請求項４において、水、アスベスト以外に少量のプラスチック等の不純物を含む場合、乾留ガスが発生する、この少量の乾留ガスを水封装置の後に小型の脱臭炉を設けて無煙無臭化させることを特徴とする溶融設備．
【発明の詳細な説明】
【技術分野】
【０００１】本発明は近年身体的被害などから使用を控えられているアスベストの無害化処理を行う技術に関する．
【背景技術】
【０００２】アスベストの無害化処理に関しては国内規定によりコンクリートでの封入の後埋め立て処理を行うか，アスベストを１５００℃以上に加熱，溶融した後に処理するかのどちらかである．【０００３】しかし，コンクリートでの封入を行った埋め立て処理に関して，埋め立て可能地面積に対してアスベストの量が膨大である為，それだけでアスベストを処理することは出来ず，アスベストの加熱溶融装置による溶融処理に期待が高まっている．【０００４】従来のアスベストの加熱溶融装置では１５００℃という高温であることから，排ガス損失熱量や粉塵などの問題がある．またそれらの対策の為には多大な設備費用が必要となっている．
【発明の開示】
【発明が解決しようとする課題】本発明は電気抵抗式ヒータを用いることによって排ガスや粉塵を発生させず，上記の問題を解決することを課題とする．
【発明の効果】
【０００５】  請求項１に記載した設備は電気抵抗式ヒータを用いることで一切の化学反応を起こさず，アスベストの溶融のみを起こすことが可能である．そのため排ガスが発生しない為排ガス損失熱量の問題を解決し，また，粉塵の発生も極小に抑えることが可能である．【０００６】  請求項２に記載した設備は剥ぎ取りの際に飛散防止処理として水を吹き付けたアスベストの処理の際，発生した排ガス内の水分を除去することが可能である．【０００７】  請求項３に記載した設備は空気雰囲気内での使用が可能である為特別な雰囲気を用いる必要がない．【０００８】  請求項４に記載した設備はアスベスト，水以外の物質が多少含まれている場合に酸化を抑制することが可能である．【０００９】請求項５に記載した設備はアスベスト，水以外の物質が多少含まれている場合，反応後の排ガスを無臭無害化可能である．
【発明を実施する為の最良の形態】
【００１０】請求項１に記載した設備は電気炉および外部制御装置から成る．電気炉外壁内に耐火キャスタブルを敷き断熱を行い，電気炉内には電気抵抗式ヒータ，対象物容器となるルツボ，温度計を設置する．
【００１１】請求項２に記載した設備は上記設備の電気炉下部に排ガスダクトを設け，排ガスダクトに水封装置を取り付けることで排ガス内の水分を除去する．
【００１２】請求項３に記載した設備は上記設備の電気炉内電気抵抗式ヒータの素材を炭化珪素および二珪化モリブデン等とし，空気雰囲気内での使用を可能とする．
【００１３】請求項４に記載した設備は上記設備下部にガス給気口を設け，窒素ガス，アルゴンガス，水蒸気等の雰囲気ガスを封入可能とし，無酸素状態を実現する．
【００１４】要求項目５に記載した設備は上記設備について水封装置後に小型の脱臭炉を設置することで発生する乾留ガスを無害化可能とする．
【図面の簡単な説明】
【図１】請求項１に記載した設備の正面図である．
【図２】請求項２および請求項３に記載した設備の正面図である．
【図３】請求項４に記載した設備の正面図である．
【図４】請求項５に記載した設備の正面図である．
【符号の説明】
【００１５】１．気炉外壁
２．耐火キャスタブル
３．電気炉蓋
４．温度計
５．外部制御盤
６．ルツボ
７．電気抵抗式ヒータ
８．排ガスダクト
９．水封装置
１０．雰囲気ガス給気口
１１．小型脱臭炉
【図１】
2008212911.tif 000003
【図２】
2008212911.tif 000004
【図３】
2008212911.tif 000005
【図４】
2008212911.tif 000006
(57)【要約】【課題】  工場等の施設における排気の臭気を無臭に近い状態に軽減することが出来、消臭化した空気を再度工場内に戻す循環型の排気システムとすることが可能であり、更に塗装工場等においてはＶＯＣの排出量を半減ならしむ排気システムが行える排気消臭設備を提供することを目的とする。【解決手段】  排出ファン装置によって吸入口から消臭ろ過部を経て排出口より排出させる流気経路を有させた排気消臭設備において、消臭ろ過部に複数のフィルターを配設し、当該フィルターの下方には消臭剤を含んだ消臭液を溜める水槽を配置し、揚出ポンプにて水槽内の消臭液を全て若しくは一部のフィルターの上部から含浸させていき水槽内に落下した消臭液を再度上部から含浸させる循環経路を形成したことを特徴とする。【選択図】図１
2008212913.tif 000002
【特許請求の範囲】
【請求項１】
排出ファン装置によって吸入口から消臭ろ過部を経て排出口より排出させる流気経路を有させた排気消臭設備において、消臭ろ過部に複数のフィルターを配設し、当該フィルターの下方には消臭剤を含んだ消臭液を溜める水槽を配置し、揚出ポンプにて水槽内の消臭液を全て若しくは一部のフィルターの上部から含浸させていき水槽内に落下した消臭液を再度上部から含浸させる循環経路を形成したことを特徴とする排気消臭設備。
【発明の詳細な説明】
【技術分野】
【０００１】  本発明は、工場等の排気システムにおいて極めて有効な排気消臭設備に関するものである。
【背景技術】
【０００２】  近年、環境問題が大きな課題となっていく中で、工場等からの排気に関する臭気に対しての意識も向上しており、工程中に強い臭いを出さない工夫を施したり、消臭装置を排気システムに組み込んだりと各企業において様々な取り組みが行われている。しかし、十分な消臭効果が得られない、コストが掛かり過ぎる、メンテナンスが大変である等、企業にとって重い足枷になっているのが現状である。また、たとえ臭気を基準値以下に抑えても人間の臭気に対する感覚は千差万別であって、臭覚の鋭い者にとっては耐えがたいものであり、そのような人達との間でトラブルが生じることも少なくなく、対応に追われる状況も数多く見受けられる。特に住宅地に隣接する工場等においては、より一層の配慮が求められている。
【発明の開示】
【発明が解決しようとする課題】
【０００３】  また、昨今ではＶＯＣ（揮発性有機化合物）の問題が大きく取り上げられており、塗料やシンナーに含まれる各種の溶剤（トルエンやキシレン）について規制をかけるべく大気汚染防止法が一部改正されたり、日本塗料工業会ではＶＯＣの排出抑制目標値を掲げて数年後には排出値を半減させていく方針を示している。しかし、現状では油性塗料の性質を或る程度持たせた水性塗料は単価が高く、従来品を使用しているのが大半である。また、塗料ＶＯＣの大気中への放出は、塗料が塗膜になっていく過程で蒸発という形で行われるものであって、即ち塗装段階で起こるわけであり、塗装過程を有する工場等の現場での対応が求められるいるが、有効な手段が講じられているとは言い難いものである。【０００４】  本発明は上記の点に鑑みなされたものであり、工場等の施設における排気の臭気を無臭に近い状態に軽減することが出来、消臭化した空気を再度工場内に戻す循環型の排気システムとすることが可能であり、更に塗装工場等においてはＶＯＣの排出量を半減ならしむ排気システムが行える排気消臭設備を提供することを目的とする。
【課題を解決するための手段】
【０００５】  上記目的を達成するための本発明の排気消臭設備は、排出ファン装置によって吸入口から消臭ろ過部を経て排出口より排出させる流気経路を有させた排気消臭設備において、消臭ろ過部に複数のフィルターを配設し、当該フィルターの下方には消臭剤を含んだ消臭液を溜める水槽を配置し、揚出ポンプにて水槽内の消臭液を全て若しくは一部のフィルターの上部から含浸させていき水槽内に落下した消臭液を再度上部から含浸させる循環経路を形成したことを特徴とするものである。
【発明の効果】
【０００６】  本発明の排気消臭設備は、吸入口から臭気ろ過部に入った工場内の空気が複数のフィルターを通って排出口から排出されるものであるが、各フィルターが単なる乾式のフィルターでなく、循環経路を有した消臭液によって常にフィルターは消臭液を含有していることとなり、その消臭効果は他に類をみない無臭に近い状態を作り出すことが出来る。又、消臭液は掛け流し捨てではなく、繰り返して利用するので経済的であり、且つ乾式フィルターの如く直ぐに汚れ、目詰まり等で取り替える必要がなく、水槽内に消臭液を補充するだけで済むので、後日の取り扱いも極めて簡単であるといったメリットを呈する。又、本排気消臭設備によれば、ＶＯＣの排出量も半減し得るものであって、環境面からも絶大な効果を発揮するものと言える。
【発明を実施するための最良の形態】
【０００７】  複数のフィルターの消臭ろ過部によって、空気が清浄化されており、排出口からの排出空気を再度工場等の施設内に送り込むことで循環式の密閉型排気システムを行うことが出来る。【０００８】  図１は本発明の一実施例を示す概略断側面図である。【０００９】  図面において、１は消臭ろ過部で、消臭設備本体の主要部を成す個所であり、排出ファン装置４によって吸入口２から入った工場内の空気が本消臭ろ過部１を経て排出口３より排出される流気経路を有させており、消臭ろ過部１内に配設した複数のフィルター５を順次通過する構成となっている。【００１０】  フィルター５は、所謂ろ過清浄フィルターであって、３枚のフィルター５は消臭液を含浸させた状態にあり、最後の１枚のフィルター５は通常の乾式フィルターの状態となるように配設している。尚、本実施例では合計４枚のフィルターとしたが、無論、特定するものではない。又、フィルター５の厚みについても限定はしないが、あまり薄いと枚数を増やす必要が生じる為、ある程度の厚み（例えば３０センチから６０センチ）が必要であることは当然である。【００１１】  フィルター５の下方には、消臭剤を含ませた消臭液を溜める水槽６を配置し、当該消臭液をフィルター５の上部から含浸させて水槽に落ちてきた消臭液を再度またフィルターの上部から含浸させる、即ち循環経路方式の掛け流し状態となるよう設けている。つまり、揚出ポンプ７にて作動する揚出管８の下部の吸い込み口を水槽内６に位置させ、上部の流し出し口をフィルター５の上部に位置させることで、水槽内の消臭液が順次フィルター上部から流れ出る構造としたものである。
【産業上の利用可能性】
【００１２】  本発明の排気消臭設備は、様々な工場等の施設において利用可能であって、従来にはなかった排気システムを提供し得るものであり、その消臭効果も絶大であり、極めて広い範囲での利用が期待出来るものであり、特に塗装工場や塗装過程がある工場等においては極めて有効なものと言える。
【図面の簡単な説明】
【００１３】
【図１】  本発明の一実施例を示す概略側面図。
【符号の説明】
【００１４】  １  消臭ろ過部
４  排出ファン装置
５  フィルター
６  水槽
【図１】
2008212913.tif 000003
(57)【要約】【課題】本発明は植木鉢に散水して流出した汚水が受け皿表面を汚すことのない植木鉢の受け皿を得るにある。【解決手段】中心に向かって下がり傾斜した円垂形プレート２と、該円垂形プレート２の外周を囲む外周カバー３と植木鉢等を載せた時に荷重を受ける受けプレート４から成るもので、前記受けプレート４は中心に向けて複数配置しそれらの上端は、前記円垂形プレート２表面より突き出し部を設け水平にして植木鉢を載せられるものとし、その止まりは中心部の手前として中心部の汚れを水洗いしやすくしたものとした植木鉢の受け皿を構成している。【選択図】図１
2008212130.tif 000002
【特許請求の範囲】
【請求項１】
中心に向かって下がり傾斜した円垂形プレート（２）と、該円垂形プレート（２）の外周を囲む外周カバー（３）と植木鉢等を載せた時に荷重を受ける受けプレート（４）から成るもので、前記受けプレート（４）は中心に向けて複数配置しそれらの上端は、前記円垂形プレート（２）表面より突き出し部を設け水平にして植木鉢を載せられるものとし、その止まりは中心部の手前として中心部の汚れを水洗いしやすくしたものとした植木鉢の受け皿。
【発明の詳細な説明】
【技術分野】
【０００１】本発明は植木鉢の受け皿に関する。
【背景技術】
【０００２】従来の植木鉢の受け皿は円形の平面部と外周部の立ち上がり部から成るものが多く使用されている。【０００３】
【参考文献】
【特許文献１】実用新案公開平７−１１１３１
【特許文献２】特許公開平６−２８４８２４
【発明の開示】
【発明が解決しようとする課題】
【０００４】従来の植木鉢の受け皿は散水した時に汚水が受け皿の表面に現れるので見苦しく常に水洗いをしなければならなかった。【０００５】［特許文献１］の名称：根ぐされ防止鉢受け皿は散水をした汚水が流出して受け皿表面に見えてしまい、その汚水がさらにホコリと付着しやすくなるので汚れやすく、又表面を清掃しずらいのが難点である。【０００６】［特許文献２］の名称：植木鉢の受け皿も上記特許文献１と同様の難点がある。【０００７】本発明は以上のような従来の欠点に鑑み、散水した汚水が流出しても外観上見えなくし、又受け皿の表面を清掃しやすい植木鉢の受け皿を提供することを目的としている。【０００６】本発明の前記ならびにその他の目的と新規な特徴は次の説明を添付図面と照らし合わせて読むと、より完全に明らかになるであろう。ただし、図面はもっあら解説のためのものであって、本発明の記述的範囲を限定するものではない。
【課題を解決するための手段】
【０００７】上記目的を達成するために本発明は、中心に向かって下がり傾斜した円垂形プレート２と、該円垂形プレート２の外周を囲む外周カバー３と植木鉢等を載せた時に荷重を受ける受けプレート４から成るもので、前記受けプレート４は中心に向けて複数配置しそれらの上端は、前記円垂形プレート２表面より突き出し部を設け水平にして植木鉢等を載せられるものとし、その止まりは中心部の手前として中心部の汚れを水洗いしやすくしたものとした植木鉢の受け皿。
【発明の効果】
【０００８】以上の説明から明らかなように、本発明にあっては次に列挙する効果が得られる。
（１）植木鉢に散水した時に汚水は中央に集まるので受け皿の見える表面は常に綺麗に保たれる。【０００９】（２）受け皿の表面は中心に向かって勾配が付いているので汚れるのは中心部分だけなので掃除が簡単である。
【発明を実施するための最良の形態】
【００１０】
【００１３】以下、図面に示す発明を実施するための最良の形態により本発明を詳細に説明する。【００１４】１は本発明の植木鉢の受け皿で材質としては合成樹脂材が好ましいが錆びないものなら何でも可。２は円垂形プレートで緩やかな勾配としその平面形は円形を基本とするが六角形や八角形でもよい。３は外周カバーで円垂形プレートを水平に固定する。４は受けプレートで植木鉢の荷重を直接受け面に伝達する。【００１５】本発明の植木鉢の受け皿の用途は植木鉢用に限定する必要はなく、花瓶の置き台や陶芸品の置き台としても活用される。
【産業上の利用可能性】
【００１６】本発明は植木鉢の受け皿を製造する産業で利用される。
【図面の簡単な説明】
【００１７】
【図１】本発明を実施するための最良の第１の形態の植木鉢の受け皿の平面と側面図。
【図２】本発明を実施するための最良の第１の形態の植木鉢の受け皿の底面と断面図。
【符号の説明】
【００１８】１：植木鉢の受け皿、  ２：円垂形プレート、  ３：外周カバー、  ４：受けプレート、  ５：円垂形プレート中心点。
【図１】
2008212130.tif 000003
【図２】
2008212130.tif 000004
(57)【要約】      （修正有）【課題】活魚水槽内で発生しる汚物微粒子（トリメチルアシン、ジメチルアシン等）を除去する。【解決手段】従来の自然浄化や曝気のみでは浄化できなかった発生源の汚物微粒子をバクテリアによって分解消滅させ、好気性菌が生産する酸素によって消臭効果も期待できる。【選択図】なし【特許請求の範囲】
特許第３８０３２７７号で製造したバイオ液で、バクテリア▲１▼▲２▼を同定することが出来たが、バイオ液に共存するその他の好気性菌群の相乗分解作用によって、活魚水槽の中に飼育する生物（主に魚介類）に由来する糞や、飼料残渣、その他（有機物）を分解することで、水質を浄化し長期に亘り維持することができるシステム・方法である。
【請求項１】
活魚水槽の蓄養環境条件のもとバクテリア▲１▼▲２▼を入れること
分離菌は
※▲１▼Ｐｓｅｕｄｏｍｏｎａｓ  ｆｌｕｏｒｅｓｃｅｎｓ
Ｐｓｅｕｄｏｍｏｎａｓ  ｐｕｔｉｄａ
Ｐｓｅｕｄｏｍｏｎａｓ  ｆｌｕｏｒｅｓｃｅｎｓ
Ｐｓｅｕｄｏｍｏｎａｓ  ｃｈｌｏｒｏｒａｐｈｉｓ
※▲２▼Ａｇｒｏｂａｃｔｅｒｉｕｍ  ｒａｄｉｏｂａｃｔｅｒ
Ａｅｒｏｍｏｎａｓ  ｈｙｄｒｏｐｈｉｌａ
【発明の詳細な説明】
【発明の詳細な説明】
【発明の属する技術方法】
【０００１】  本発明は、バクテリア▲１▼▲２▼を主とする好気性菌群の分解作用を利用して活魚水槽内で発生する水質汚染の原因である懸濁する汚物微粒子（トリメチルアシン、ジメチルアシン等）を低分子化して悪因子を除去消滅することが出来る。
【従来の技術方法】
【０００２】  現在行われている活魚水槽の蓄養法は、一定水温（１５℃±２〜３℃）のもと、曝気状態で空気を補給する装置（水槽）の中で魚を蓄養する方法であるが、魚介類が排出する糞等の汚物で水質が汚染し魚介類斃死の原因となっている。
【発明が解決しようをする課題】
【０００３】  したがって、汚物の除去は大きな問題であり、糞や飼料残渣など比較的粗大なものはウレタレマットやさんご砂等で濾過除去している。水中にとけた微小の汚物は懸濁して水質汚染の最大の原因となり、従来の方法では大量の水を交換するしか方法がなかった。本発明は汚物を分解する好気性菌の働きによって従来増加し続ける微小の懸濁物を水槽内で発生の都度分解して汚物の増加と、ＢＯＤ増加の原因物質の除去が可能で、その結果、汚染発生が防止され、大量の水を交換する必要がなくなった。
【課題を解決するための手段】
【０００４】  ＣＯＤによる１年間（１４回）の追跡調査の結果、殆どＣＯＤ値の上昇はなく、水質の劣化（酸素不足）もなく、大量の水の交換を必要としなかった。
【手続補正書】
【提出日】平成19年5月8日(2007.5.8)
【手続補正１】
【補正対象書類名】特許請求の範囲
【補正対象項目名】全文
【補正方法】変更
【補正の内容】
【特許請求の範囲】
【請求項１】
特許第３８０３２７７号で製造したバイオ液で、主な活性バクテリア▲１▼▲２▼を同定することが出来たが、バイオ液に共存するその他の好気性菌群の相乗分解作用によって、活魚水槽の中に飼育する生物（主に魚介類）に由来する糞や、飼料残渣、その他（有機物）を分解することが出来る。その結果、水質を浄化し長期に亘り酸素を十分飽和した状態を維持することができるシステム・方法である。
【請求項２】
活魚水槽の蓄積環境条件のもとバクテリア▲１▼▲２▼を入れることで極微粒子の有機成分をより速やかに分解することが出来る。
分離菌の主なものは下記のとおりである。
※▲１▼Ｐｓｅｕｄｏｍｏｎａｓ  ｆｌｕｏｒｅｓｃｅｎｓ
Ｐｓｅｕｄｏｍｏｎａｓ  ｐｕｔｉｄａ
Ｐｓｅｕｄｏｍｏｎａｓ  ｖｅｓｉｃｕｌａｒｉｓ
Ｐｓｅｕｄｏｍｏｎａｓ  ｃｈｌｏｒｏｒａｐｈｉｓ
※▲２▼Ａｇｒｏｂａｃｔｅｒｉｕｍ  ｒａｄｉｏｂａｃｔｅｒ
Ａｅｒｏｍｏｎａｓ  ｈｙｄｒｏｐｈｉｌａ
【手続補正２】
【補正対象書類名】明細書
【補正対象項目名】全文
【補正方法】変更
【補正の内容】
【発明の詳細な説明】
【発明の属する技術方法】
【０００１】  本発明は、バクテリア▲１▼▲２▼を主とする好気性菌群の分解作用を利用して活魚水槽内で発生する水質汚染の原因である懸濁する汚物微粒子（トリメチルアシン、ジメチルアシン等）を低分子化して悪因子（トリメチルアシン、ジメチルアシン等）を分解消滅することが出来る。
【従来の技術方法】
【０００２】  現在行われている活魚水槽の畜養法は、一定水温（１５℃±２〜３℃）のもと、曝気状態で空気を補給する装置（水槽）の中で魚を畜養する方法であるが、魚介類が排出する糞等の汚物で水質が汚染し魚介類斃死の原因となっている。
【発明が解決しようとする課題】
【０００３】  したがって、汚物の除去は大きな問題であり、糞や飼料残渣など比較的粗大なものはウレタレマットやさんご砂等で濾過除去している。水中にとけた微小の汚物は懸濁して水質汚染の最大の原因となり、従来の方法では大量の水を交換するしか方法がなかった。本発明は汚物を分解する好気性菌の働きによって従来の方法では増加し続ける微小の懸濁物を水槽内で発生の都度分解して汚物の増加と、ＢＯＤ増加の原因物質の除去が可能で、その結果、汚染発生が防止され、大量の水を交換する必要がなくなった。
【課題を解決するための手段】
【０００４】ＣＯＤによる１年間の追跡調査の結果、殆どＣＯＤ値の上昇はなく、水質の劣化（酸素不足）もなく、大量の水の交換を必要としなかった。
(57)【要約】      （修正有）【課題】水田用溝切機はゴム長ぐつを履いて本体を支えながら水田の中を何回も往復する作業を解決するために遠隔操作で溝切作業が出来る溝切機を提供する。【解決手段】送信機（リモコン）１と受信機（エンジン本体）２の働きにより遠隔操作出来るようにする又  本体の直進性を高め転倒防止用に左フロート４と右フロート５を設けた溝切機である。【選択図】図１
2008212134.tif 000002
【特許請求の範囲】
【請求項１】
送信機（リモコン）で遠隔操作する事を特徴とする溝切機
【請求項２】
本体の直進性を高め転倒防止を防ぐために本体の左右にフロート板を設けた事を特徴とする溝切機
【発明の詳細な説明】
【技術分野】
【０００１】この発明は水田の管理作業に用いる溝切機
【背景技術】
【０００２】従来の水田用溝切機は本体を支えて水田の中を歩かなければならなかった
【発明の開示】
【発明が解決しようとする課題】
【０００３】以上の技術によれば溝切機を支えながら水田の中を何度も往復する作業だった
そこでこの発明は水田の中に人が入る事なく溝切作業が出来る溝切機を提供する事を課題とする
【課題を解決するための手段】
【０００４】以上の課題を解決するために第一発明は送信機（リモコン）と受信機（エンジン本体）を設けた事を特徴とする水田用溝切機である
又第２発明は溝切機本体の直進性を高め転倒防止を保つために本体の左右にフロート板を設けた事を特徴とする溝切機である
【発明の効果】
【０００５】第一第二発明によれば水田の中に入る事なく遠隔操作で溝切作業が出来る
【発明を実施するための最良の形態】
【０００６】この発明の一実施形態を図１に示す送信機（リモコン）１と受信機（エンジン本体）２と溝切機本体の左右にフロート板の４と５が設けられている
【実施形態の効果】
【０００７】この実施形態によればリモコン１エンジン本体２と溝切機本体の左右フロート４、５の働きにより遠隔操作で溝切作業が出来る
【図面の簡単な説明】
【０００８】
【図１】この発明の実施形態を示す斜視図である
【図２】従来技術を示す斜視図である
【符号の説明】
【０００９】１  送信機（リモコン）    ２  受信機（エンジン本体）    ３  伝動シャフト    ４  左フロート板    ５  右フロート板    ６  水田用車輪    ７  車輪カバー    ８  溝切板
【図１】
2008212134.tif 000003
【図２】
2008212134.tif 000004
(57)【要約】【課題】指輪や鍵といった物をネックレスに通してつけている光景をよく目にするが、このような場合、物を使用する際にネックレスを外さなければならないというわずらわしさがある。このような問題、デザイン性を考慮し、従来のペンダントトップにはなかった機能を設けたペンダントトップを提供する。【解決手段】ペンダントトップに開閉口のある構造を形成し、これにより物が容易に挟み掛けることができると共に、トップ単体でのデザインと、他の飾り物を付けられることで違うデザインも楽しむことができる。【選択図】図１
2008212619.tif 000002
【特許請求の範囲】
【請求項１】
ペンダントトップに物が挟み掛けられるよう開閉口を有する構造を設けたペンダントトップ
【発明の詳細な説明】
【技術分野】
【０００１】  本発明は、開閉口を有するペンダントトップに関する。
【背景技術】
【０００２】  従来のペンダントトップは、単なる装飾品として使用しているか、薬や写真といった物を内側に収納できる機能を持ったものがある。【０００３】  指輪や鍵というような物をネックレスに通してつけている光景をよく目にする。このような場合、その物を使用する際にはネックレスを外さなければならない。
【発明の開示】
【発明が解決しようとする課題】
【０００４】  上記のように、物をネックレスに通してつけている場合、使用する際にネックレスを外さなければならないというわずらわしさが生じる。【０００５】  本発明は、このような問題を解決しようとするものであり、従来のペンダントトップにはなかった、物が挟み掛けられる機能を設け、その物の着脱を容易にできることを目的とするものである。
【課題を解決するための手段】
【０００６】  本発明は、ペンダントトップに開閉口のある構造を形成し、開閉により物を容易に挟み掛けられる機能を設けたものである。
【発明の効果】
【０００７】  本発明のペンダントトップは、物を容易に挟み掛けることができる機能を持ち、上述のように、物をネックレスに通してつけていた場合の着脱のわずらわしさも解消できる。【０００８】  また、トップ単体でのデザインと、他の飾り物をつけられることで違うデザインを楽しめるという効果がある。
【発明を実施するための最良の形態】
【０００９】  ペンダントトップ本体一部にデザイン性をふまえ開閉口を形成するが、開閉支点部分にバネを利用した構造が最も適している。バネを利用することで、指で押せば口が開き、放せば閉まるためである。【００１０】  トップ本体のデザインにより、バネの形状、配置も変え構成する。【００１１】  コイル状のバネを利用した場合、トップを構成する表側、裏側となる開閉支点の内側中心にバネを入れ、ピンを通しバネクリップ状にする。開閉口部分は、物が挟み掛けられるように突起を形成する。
【実施例】
【００１２】  以下、添付図面に従って一実施例を説明する。図１の１は、ネックチェーンを通す輪である。５は本体を開閉させるバネであり、ピン４にて本体２・３とバネ５をつないでいる。２Ａ・３Ａを押し、２・３を開閉させて物を着脱させる。
【図面の簡単な説明】
【００１３】
【図１】側面図
【符号の説明】
【００１４】  １  ネックチェーンを通す穴
２  本体、開閉口
３  本体、開閉口
４  ピン
５  バネ
６  指輪
【図１】
2008212619.tif 000003
(57)【要約】【課題】現在の注射針は、刺入に際して非常な痛みを伴う上に、刺入点に切傷をつけるから出血をおこす。そのために患者に無用のストレスまで起こさせる。また疾患の程度、種類により頻繁に注射を必要とする患者は注射の個所が硬化して注射がしにくくなる。【解決手段】この発明は注射針の刃先を無くして、注射の際には組織を拡げて傷つける事無く針を刺入して薬液の注入若しくは採血を針体の側面より行うので、痛みを無くしストレスを除くことが出来る。これにより治療効果を格段に上げることができる。またこの方法では注射頻度が増加しても注射個所の皮膚、筋肉が硬化することは無い。【選択図】図１
2008212616.tif 000002
【特許請求の範囲】
【請求項１】
先端の形状が鍼灸治療用の鍼の形状と同様な形の松葉形状をしており、かつ先端に近い針柄の部分に２乃至６個程度の薬液注入孔を有する注射針。
【発明の詳細な説明】
【技術分野】
【０００１】  本発明は注射器の注射針の形状に関するものである。
【背景の技術】
【０００２】従来の注射器の注射針の先端は、中空の注射針体の先端を斜めにカットして鋭利に研磨してある。これによって目的個所の皮膚、血管、筋肉内へ針先を刺入して薬液を注入するか、または血液を採取している。しかしこの方式は刺入の際に皮膚、血管、筋肉等の組織を切断して刺入するために、患者に非常な痛みを与える上、出血を起こさせる。又刺入痕は切り傷であるので出血止め、化膿防止其の他の衛生的処置をしても回復に相当の時間を要する。また刺入個所を傷つけることにより繰り返せばその個所は皮膚、筋肉が硬化する。
【０００３】  又点滴用の輸液のバッグや容器の栓などに針を刺入して薬液を吸い出すことにも使用しているが、その場合に太い針を使用すれば、この栓の素材の砕片を薬液中に混入するおそれもある。
【発明の開示】
【発明が解決しようとする課題】
【０００４】  解決しようとする問題点は、注射針の刺入時の疼痛を無くするか、もしくは微かにして患者のストレスを取り除いて治療効果を高めると同時に刺入個所の傷を最小限として将来の皮膚、筋肉の硬化を防ぎ、又薬液注入の際には栓の素材の砕片の混入をも防止できる。
【課題を解決するための手段】
【０００５】  本発明は、上記の目的を達成する為に注射針の形状をいわゆる松葉型と称する尖端の形とし、薬液の注入孔は針の太さ、注射の使用目的により異なるが、概ねその先端より２〜４ｍｍくらい隔てた所に２〜６箇所、針体に直角にあける。
【発明の効果】
【０００６】  この発明は上記のように注射等を行う場合の針の刺入時には、無痛、もしくは微かな痛みである上、処置後も出血を見ないか、あっても従来の方法による場合と比較して極めて少ない為に、患者は安心して注射、採血などを受けることが出来るので無用なストレスを与えない為、大きな治療効果をあげることが出来る。また輸血、点滴等の場合も同様な上砕片など異物の混入の心配は全くないので安心である。【０００７】  点滴用輸液のバッグや容器の栓などに刺入した場合もそれらの栓の素材の砕片などは発生しないので薬液には異物は混入しない。
【発明を実施する最良の形態】
【０００８】      以上により注射等で針を刺入する時には、針の尖端を皮膚に押し込むことになるので、皮膚、又は血管などの組織を切断、損傷することなく、その組織を押し広げながら刺入する事となる為に患者は無痛、もしくは微かな痛みを感じるのみとなる。
【図面の簡単な説明】
【０００９】
【図１】  注射針の針体および先端の外観である。
【図２】  注射針の針体を図１のＡ〜Ｂの線でカットした断面図である。
【図１】
2008212616.tif 000003
【図２】
2008212616.tif 000004
(57)【要約】【課題】容器部内に袋を収納して携帯を可能にした把手付収納バッグを提供する。【解決手段】容器部内に袋を収納し、付属のストラップにより携帯する。使用時は容器部の両端に設けたフックに内部の袋を掛けて容器部を把手として使用する。以上を特徴とする把手付収納バッグ。【選択図】図３
2008212611.tif 000002
【特許請求の範囲】
【請求項１】
容器部内に袋を収納し、使用時は容器部の両端に設けたフックに内部の袋を掛けて容器部を把手として使用することを特徴とする把手付収納バッグ。
【発明の詳細な説明】
【技術分野】
【０００１】本発明は、容器部内に袋を収納して携帯を可能にした把手部収納式バッグに関するものである。
【背景技術】
【０００２】従来、外出時や買い物の時に使用中のバッグの中に、化粧品・財布・携帯電話など小物品が多く入っていてバッグの中が満杯の状態だった。
【発明の開示】
【発明が解決しようとする課題】
【０００３】そのために、次のような問題点があった。
（イ）外出時や買い物で予想外に荷物が増えたときは、手持ちのバッグが満杯になっているので中に新たな購入品を入れることはできなかった。
（ロ）かさばるものなどを購入したときは、バッグの中に入れずに別な袋の中に入れて手で持ち歩くことが便利であるが、その袋を入手することができなかった。
（ハ）また、スーパーで買い物をするときは、レジ袋の有料化に伴いレジ袋を購入しなければならない不経済さがあった。
本発明は以上の問題点を解決しようとするものである。
【課題を解決するための手段】
【０００４】容器部内に袋を収納し、使用時は容器部の両端に設けたフックに内部の袋を掛けて容器部を把手として使用する。
以上を特徴とする把手付収納バッグである。
【発明の効果】
【０００５】本発明を、常時携帯することによって不意の荷物であっても袋を容器部内から取り出し、フックに袋をかけると物入れ用のバッグになるので、収納・運搬が可能となる。
スーパーでの買い物においても、本発明を使用することによって使い捨てのレジ袋も不要になるため、生活者のゴミ減量に役立つ。
また、把手となる容器部に袋を収納できるので携帯に便利で、従来のエコバッグのようにたたむ手間が省け袋をコンパクトにしまうことができる。
【発明を実施するための最良の形態】
【０００６】以下、本発明の実施の形態を説明する。
（イ）内部を空洞とする円筒状の容器部（１）の一端を閉鎖部（４）とし他端は蝶番（５）を介して開閉自在の蓋（３）を設ける。
（ロ）容器部（１）の閉鎖部（４）の側面と蓋（３）の側面にＬ字状のフック（２）を設ける。
（ハ）容器部（１）の側部にストラップ用フック（６）を設け、ストラップ（７）をとりつける。
（二）上記の容器部（１）に装着するネット状の袋（８）を別に設ける。
本発明は、以上の構成より成っている。
本発明を利用するときは、容器部（１）についているストラップ（７）をズボンのベルト通しや、外出時に使用するバッグの把手などの所持品に取り付け携帯する。したがって容器部（１）は必ず身体に装着されていたり、バッグの把手に装着されているので、必要なときにすぐに使用できる。
このように装着した容器部（１）を使用するときは、容器部（１）にある蓋（３）を開け、容器部（１）内に収納されている袋（８）を取り出し、容器部（１）両端に設けたＬ字状のフック（２）の隙間部（２Ａ）を利用して掛け、容器部（１）を把手とし、袋（８）に新たな購入品などを入れバッグとして使用する。使用後は袋（８）をフック（２）から取り外し、容器部（１）に収納し、ストラップ（７）でベルト通しやバッグの把手に取り付け携帯する。
また、本発明は次のような実施例も可能である。
容器部（１）の長手方向・上部に蝶番（５）を設け、容器部（１）が蝶番を中心に長手方向に開閉するようにする。容器部（１）内部に収納されている袋（８）を取り出しフック（２）に袋（８）を掛け、容器部（１）を把手とし、袋（８）に物を入れバッグとして使用する。使用後は袋（８）をフック（２）から取り外し、容器部（１）に収納しストラップ（７）で所持品に取り付け携帯する。
なお、本発明は身体に装着する又は外出時のバッグに装着することを前提としているが、それ以外にズボンのポケットやバッグの中に入れておき必要時に取り出して使用することもできる。
【図面の簡単な説明】
【０００７】
【図１】本発明品の容器部斜視図
【図２】本発明品の袋部斜視図
【図３】本発明品の斜視図
【図４】本発明品の容器部立面図
【図５】本発明品の収納状態を示す断面図
【図６】他の実施例を示す斜視図
【図７】他の実施例での収納状態を示す斜視図
【符号の説明】
【０００８】１    容器部
２    フック
３    蓋
４    閉鎖部
５    蝶番
６    ストラップ用フック
７    ストラップ
８    袋
【図１】
2008212611.tif 000003
【図２】
2008212611.tif 000004
【図３】
2008212611.tif 000005
【図４】
2008212611.tif 000006
【図５】
2008212611.tif 000007
【図６】
2008212611.tif 000008
【図７】
2008212611.tif 000009
(57)【要約】      （修正有）【課題】腰痛の方や病中病後等で体力が落ちている方、高齢の方、障害のある方、等に向けてご本人のストレス、負担の軽減と自立に向けての補助となるようなマットの提供。【解決手段】表面１には撥水効果があり熱反射する素材（アルミシート）を使用し、裏面には滑り止め加工を施す、表面と裏面の間にクッション素材２（発泡ポリエチレン）を挟み、少しの厚みを持たせることにより本マットの使用中にしわ、たるみを起こりにくくし、本マットの下に来るシーツや敷き布団カバーのしわたるみを感じにくくする。また大きさを調整できるよう、自由に切ってもほつれない素材を使用。【選択図】図２
2008212605.tif 000002
【特許請求の範囲】
【請求項１】
腰痛の方、高齢の方、病中病後で体力が十分でない方、介護者向けに工夫されたマットで、自由に大きさをカットして使用者の体格に合わせて大きさを決めることができ、使用者の好みに合わせて設置する位置を決めることができるマット。
【請求項２】
熱反射で体温を逃がしにくく、下からの冷気を防ぎ保温に役立つマット。
【請求項３】
表面と裏面の間にクッション素材を挟んで少しの厚みを加えて、マット自体がたるんだりしわになりにくくし、マットの下のシーツや敷き布団カバーのしわやたるみを体に感じにくくしたマット。
【請求項４】
敷き布団やベッドマット等寝具の上に本マットを敷き、本マットの上に横たわり使用する。本マットの表面の滑りを良くした事によって、寝間着とシーツ等の布と布との摩擦で、動きを妨げようとする力を和らげ、使用者が少しの力で体をずらしたり、方向を変えることを容易にし、汚れも簡単に落とすことができ、また表面に凹凸つけて使用者の体の滑りすぎを防ぐ加工を施したマット。
【請求項５】
裏面に滑り止め加工を施し、ベッドマットや敷き布団の上にのせた際にずれにくいマット。
【発明の詳細な説明】
【技術分野】
【０００１】  このマットは、病中病後の方や高齢の方が、できるだけ自立した寝起きができるように補助となる事、病中病後の方や高齢者の方の体の冷えの軽減し、横になっているときに起こる様々なストレスの軽減も目的とし、使用者の体格に合わせて容易にマットのサイズ変更ができる。
【背景技術】
【０００２】  従来のものは病中病後の方や高齢の方の体の保温に配慮したものは無く、横になっているときの下からの冷気を防ぐことと、使用者の体温を熱反射させることにより保温効果も備え、使用者の体格に合わせて大きさと使用位置を自由に調整することができるマットが望ましい。【０００３】  寝たきりではない腰痛の方、高齢の方、病中病後で体力が十分でない方など向けで、寝間着とシーツ等の布と布との摩擦で、動きを妨げようとする力を和らげ、使用者が少しの力で体をずらしたり、方向を変える事が容易にできるようにし、自立の補助となることを目指し、日々使用するものなので汚れも簡単に落とせ、使用者の体格に合わせて、大きさや使用位置を自由に調節可能なことが望ましい。【０００４】  横たわったときに下のシーツや敷布団カバーなどの少しのしわやたるみなどが病中病後等の方の体には負担になるので解消したい。【０００５】
【特許文献１】
【特許文献２】
【非特許文献１】  ｈｔｔｐ：／／ｗｗｗ．ｒａｋｔｅｎ．ｃｏ．ｊｐ／ｍｃ−ｆｕｋａｇａｗａ／５９７５７３／７２０６１７／７２０６１８／７２０７６３／＃７６５０９４
【非特許文献２】
【発明の開示】
【発明が解決しようとする課題】
【０００８】  体温を逃がしにくく下からの冷気も遮断するようなもので、そして滑りがよく使用者の動きを布同士の摩擦抵抗で妨げることなく、汚れも落としやすいもの。【０００９】  使用中のずれや本マット自体のしわ、たるみをおこりにくくし、身長に合わせて本マットの位置を適切な位置に置くことができる。【００１０】  使用者の体格、身長に合わせて大きさを自由に切って使用することができる。
【課題を解決するための手段】
【００１１】  表面には撥水効果があり熱反射する素材（アルミシート）を使用し、裏面には滑り止め加工を施す、表面と裏面の間にクッション素材（発泡ポリエチレン）を挟み、少しの厚みを持たせることにより本マットの使用中にしわ、たるみを起こりにくくし、本マットの下に来るシーツや敷き布団カバーのしわたるみを感じにくくする。自由切って大きさを調整できるように切ってもほつれない素材を使用。
【発明の効果】
【００１２】  本マットは使用者の体温を熱反射させ保温し、大きさなども自由に切って調節することにより、使用者の身長、体格に容易に合わせることが可能である。裏面に滑り止め加工を施し、使用中のずれを防止し、本マットに少しの厚みを持たせることで使用中に本マット自体のしわ、たるみをできにくくし、本マットの下に来るシーツや敷き布団カバーなどのしわたるみを、使用者に感じにくくし、横になっているときの使用者の負担を軽減できる。撥水効果のある素材を表面に使用することによって汚れも落としやすい。
【発明を実施するための最良の形態】
【００１３】  本マットは、表面に滑りがよく、使用者の体温を熱反射させるアルミ素材を使用し、表面の凹凸をつけることで滑りすぎを防いでいる（図１）。裏面には、滑り止め加工を施し使用時にマットがずれることを防いで、使用位置を自由に決めることができる。表面と裏面の間にクッション性のある発泡ポリエチレン素材をはさみ、このクッション性のある素材に２ｍｍ厚みを持たせることで、本マット自体のしわ、たるみを少なくすることができ、本マットの下に来るシーツや敷き布団カバーなどのしわたるみを、使用者に感じにくくしている（図２）。【００１４】  本マットは、大きめに設定し、切っても切り口からほつれることのない素材を使用し、使用者の体格に合わせて自由に大きさを決めることができる。
【産業上の利用可能性】
【００１５】  本マットは、家庭内の病中病後の方、高齢の方や各種老人介護施設、病院、診療所などで利用してもらえれば、使用者の痛みなどの苦痛を少しでも軽減する事ができる。
【図面の簡単な説明】
【００１６】
【図１】本マット表面の凹凸の図
【００１７】
【図２】本マットの断面図
【符号の説明】
１表面
２クッション素材
３滑り止め加工シート
【図１】
2008212605.tif 000003
【図２】
2008212605.tif 000004